【手続補正書】
【提出日】平成28年5月25日(2016.5.25)
【手続補正１】
【補正対象書類名】特許請求の範囲
【補正対象項目名】全文
【補正方法】変更
【補正の内容】
【特許請求の範囲】
【請求項１】
前後方向に延びる本体部と、前記本体部から幅方向の外側に突出するサイドフラップ部と、を備える吸収性物品であって、
前記本体部は、液透過性の表面層と、液不透過性の裏面層と、前記表面層及び前記裏面層の間に配置された吸収体と、を含み、
前記サイドフラップ部は、前記表面層の幅方向外側端から幅方向外側に延びるサイドシートと、前記裏面層と、前記サイドシート及び前記裏面層の間に配置される中間層と、を含み、
前記サイドフラップ部は、前記サイドシート、前記中間層及び前記裏面層が厚み方向に圧搾された複数のエンボス部を含み、
前記中間層は、前記裏面層よりも融点の高い繊維を含む、吸収性物品。
【請求項２】
前記中間層は、ポリプロピレン繊維を主体とするＳＢ不織布又はＳＭＳ不織布であり、前記裏面層は、ポリエチレンを主体とするフィルムである、請求項１に記載の吸収性物品。
【請求項３】
前記サイドシートは、前記中間層を形成する繊維よりも融点の低い繊維を含む、請求項２に記載の吸収性物品。
【請求項４】
前記サイドシートは、ポリエチレンを鞘とする芯鞘構造の繊維を主体とするスルーエアー不織布である、請求項３に記載の吸収性物品。
【請求項５】
前記エンボス部は、前記吸収性物品の前後方向に延びる複数のエンボス線を含み、前記複数のエンボス線の一部が前後方向に重なるように形成される、請求項１から請求項４のいずれか１項に記載の吸収性物品。
【請求項６】
前記中間層は、前記サイドフラップ部の前後方向全長にわたって配置される、請求項１から請求項５のいずれか１項に記載の吸収性物品。
【請求項７】
前記中間層は、前記サイドフラップ部の幅方向外側端部よりも内側に配置される、請求項６に記載の吸収性物品。
【請求項８】
前記サイドシート及び前記中間層の間にはホットメルト接着剤が配置され、前記中間層及び前記裏面層の間にはホットメルト接着剤が配置される、請求項７に記載の吸収性物品。
【請求項９】
前記エンボス部は、前記厚み方向に圧搾された複数のエンボス構成部によって構成されており、
前記複数のエンボス構成部は、間隔を空けて配置されている、請求項１から請求項８のいずれかに記載の吸収性物品。
【請求項１０】
前記エンボス部は、複数設けられており、
一のエンボス部と、他のエンボス部と、は、前記幅方向において重なっている、請求項１から請求項９のいずれかに記載の吸収性物品。
【請求項１１】
前記エンボス構成部は、図形形状を示す図形エンボス構成部と、絵柄形状を示す絵柄エンボス構成部と、を有する、請求項９に記載の吸収性物品。
【請求項１２】
前記図形エンボス構成部は、所定のライン上に配置されており、
前記絵柄エンボス構成部は、前記ラインからずれて配置されている、請求項１１に記載の吸収性物品。
【請求項１３】
前記絵柄エンボス構成部の前記所定ラインと直交する方向の幅寸法は、前記所定のラインの幅寸法よりも大きい、請求項１２に記載の吸収性物品。
【請求項１４】
前記図形エンボス構成部は、複数隣接して配置されており、
前記絵柄エンボス構成部は、前記図形エンボス構成部間に配置されており、
前記絵柄エンボス構成部と前記図形エンボス構成部の間隔は、前記図形エンボス構成部同士の間隔よりも大きい、請求項１１から請求項１３のいずれかに記載の吸収性物品。
【請求項１５】
前記エンボス部は、前記サイドフラップ部において最も幅方向外側に位置する最大膨出部よりも前方において、後方に向かうにつれて幅方向内側から幅方向外側に向かって延び、かつ前記最大膨出部よりも後方において、後方に向かうにつれて幅方向外側から幅方向内側に向かって延びる、請求項１から請求項１４のいずれかに記載の吸収性物品。
【請求項１６】
前記本体部は、前記吸収体を覆う本体表面シートを有し、
前記本体部には、前記吸収体と前記本体表面シートを厚み方向に圧搾する本体エンボス部が形成されており、
前記本体エンボス部を構成するエンボス構成部と、前記エンボス部を構成するエンボス構成部とは、同一又は相似形である、請求項１から請求項１５のいずれかに記載の吸収性物品。
【請求項１７】
液透過性の表面層、液不透過性の裏面層、並びに前記表面層及び前記裏面層の間に配置された吸収体を含む本体部と、
前記表面層の幅方向外側端から幅方向外側に延びるサイドシート、前記裏面層、並びに前記サイドシート及び前記裏面層の間に配置される中間層を含み、前記本体部から幅方向外側に突出するサイドフラップ部と、
を備える吸収性物品の製造方法であって、
前記サイドシート及び前記中間層の間をホットメルト接着剤によって接着し、前記中間層及び前記裏面層の間をホットメルト接着剤によって接着する工程と、
前記吸収性物品の外周をエンボス加工によって封止すると同時に、前記サイドフラップ部において、前記サイドシート、前記中間層及び前記裏面層をエンボス加工によって厚み方向に圧搾する工程と、を含み、
前記中間層は、前記裏面層よりも融点の高い繊維を含む、吸収性物品の製造方法。
【請求項１８】
前記エンボス加工は、前記裏面層に対して前記裏面層の融点以下の温度で施し、前記サイドシートに対して前記裏面層の融点以上の温度で施す、請求項１７に記載の吸収性物品の製造方法。
【手続補正２】
【補正対象書類名】明細書
【補正対象項目名】００３４
【補正方法】変更
【補正の内容】
【００３４】
また、中間層１２は、サイドフラップ部ＳＦの幅方向Ｗ外側端部よりも内側に配置される。サイドフラップ部ＳＦの幅方向Ｗ外側端部には、口開きを防止するために、ラウンドシール部１０が密に配置されている。そこで、サイドフラップ部ＳＦの幅方向Ｗ外側端部に中間層１２を配置しないことにより、ラウンドシール部１０によってサイドフラップ部ＳＦの幅方向Ｗ外側端部が硬くなり、着用者に擦れ刺激を与えることを防止する。
【手続補正３】
【補正対象書類名】明細書
【補正対象項目名】００３６
【補正方法】変更
【補正の内容】
【００３６】
図４は、図１に示す吸収性物品におけるエンボス部の模式断面図である。中間層１２を構成する材料は、バックシート３を構成する材料よりも、融点の高い材料を含む。中間層１２がバックシート３よりも融点の高い材料を含むことにより、中間層の融点より低い温度でエンボス加工を施してエンボス部２０を形成することができる。そのため、サイドシート１１側からのエンボス加工によるバックシート３へのダメージを抑え、バックシート３にピンホール等の欠陥が生じることを防止することができる。
【手続補正４】
【補正対象書類名】明細書
【補正対象項目名】００７０
【補正方法】変更
【補正の内容】
【００７０】
また、絵柄エンボス構成部９２の面積は、図形エンボス構成部９１の面積よりも大きい。よって、絵柄エンボス構成部９２は、図形エンボス構成部９１よりも目立ち易く、目印の役割を担う。例えば、例えば、中間層が体液を保持できる構成（例えば、エアスルー不織布）である場合に、ヒップフラップ部ＨＦに経血が拡散すると、エンボス線は、経血を引き込んで滲む。その際、比較的面積が大きい絵柄エンボス構成部に経血が滲むため、経血が滲んだ絵柄エンボス構成部を使用者が視認し、取替え時期を判断しやすくなる。
【手続補正５】
【補正対象書類名】明細書
【補正対象項目名】００７４
【補正方法】変更
【補正の内容】
【００７４】
また、絵柄エンボス構成部は、図形エンボス構成部のラインよりも後方に配置されていることが好ましい。絵柄エンボス構成部は、図形エンボス構成部のラインよりも後方に配置されている場合には、前方に位置するウイング部側からヒップフラップ部が変形した際に，後方に向かって変形が伝わるのを抑制できる。
【手続補正６】
【補正対象書類名】明細書
【補正対象項目名】００８０
【補正方法】変更
【補正の内容】
【００８０】
（変形例３）
次いで、変形例３に係る吸収性物品１Ｃについて説明する。図９は、変形例１に係る吸収性物品の一部の表面側から見た平面図である。図９に示す吸収性物品１Ｃは、エンボス部として、第２のエンボス線２２及び第３のエンボス線２３を有する。これらのエンボス線は、それぞれ第１エンボス構成部９３及び第２エンボス構成部９４によって構成されている。
【手続補正７】
【補正対象書類名】明細書
【補正対象項目名】００８１
【補正方法】変更
【補正の内容】
【００８１】
第１エンボス構成部９３は、少なくとも前後方向に延びるエンボス部であり、第２エンボス構成部９４は、第１エンボス構成部９３よりも幅方向内側に位置し、かつ少なくとも前後方向に延びるエンボス部である。第１エンボス構成部９３と第２エンボス構成部９４は、幅方向において重なっている。なお、第１エンボス構成部９３と第２エンボス構成部９４が幅方向において重なっている状態とは、幅方向に延びる直線上に第１エンボス構成部９３の一部と第２エンボス構成部９４の一部が位置する状態である。
【手続補正８】
【補正対象書類名】明細書
【補正対象項目名】００８２
【補正方法】変更
【補正の内容】
【００８２】
第１エンボス構成部９３と第２エンボス構成部９４とが、幅方向において重なっているため、例えば、中間層が体液を保持できる構成（例えば、エアスルー不織布）である場合には、吸収性物品の幅方向中央から幅方向外側に体液が流れた際に、第２のエンボス線２２、及び第３のエンボス線２３のそれぞれにおいて、二重で体液を引き込み、吸収性物品の外縁に体液が到達することを防ぐことができる。